(57)【要約】【課題】  踏むと音を発して知らせマット、および、そのマットを階段の最上段または／および最下段に敷設した階段を提供する。【解決手段】  弾性板のマット１に空洞２を設け、空洞２と弾性板の側壁との間に貫通孔３を設け、その貫通孔３にリード笛４を嵌挿固定し、弾性板を踏むと音を出すことを可能とする。  空洞２に発泡樹脂等のスポンジ体を充填するのが好ましい。  上記マット１を階段の最上段および／または最下段に敷設する。また、マットの裏面に、端子と、前記マットを踏むと端子を接続させる突起を設け、端子と警報器を配線で繋いで回路を形成し、マットを踏むと回路が閉じて警報器がなることを可能とする。【選択図】      図１
0003102048.tif 000002
【実用新案登録請求の範囲】
【請求項１】
弾性板に空洞を設け、該空洞と前記弾性板の側壁との間に貫通孔を設け、該貫通孔にリ−ド笛を嵌挿固定してなり、前記弾性板を踏むと音を出すことを特徴とする警報マット。
【請求項２】
弾性板に空洞を設け、該空洞に通気性のスポンジ体を充填し、前記空洞と前記弾性板の側壁との間に貫通孔を設け、該貫通孔にリ−ド笛を嵌挿固定してなり、前記弾性板を踏むと音を出すことを特徴とする警報マット。
【請求項３】
マットの裏面に、端子と、前記マットを踏むと前記端子を接続させる突起を設け、前記端子と警報器を配線で繋いで回路を形成してなり、前記マットを踏むと前記回路が閉じて前記警報器が鳴ることを可能とした警報器を備えたマット。
【請求項４】
弾性板に空洞を設け、該空洞と前記弾性板の側壁との間に貫通孔を設け、該貫通孔にリ−ド笛を嵌挿固定してなり、前記弾性板を踏むと音を出す警報マットを、最下段または／および最上段に敷設してなる階段。
【考案の詳細な説明】
【技術分野】
【０００１】
この考案は、足で踏むと音が鳴り、踏んだことを知らせるマットおよびそのマットを敷設した階段に関するものである。
【背景技術】
【０００２】
従来、特許文献１に示すように、空気室を有する弾性変形可能な突出物を基板上に多数配置し、それらの各突出物の空気室に、空気室の変形により鳴る笛を連接したマットがあり、このマットを危険エリアの周辺の床に敷いている。
また、特許文献２に示すように、階段の滑り止めや防音のためのマットはある。
【特許文献１】特開平５−２６６３７０号公報（明細書の０００９乃至００１２および図面）
【特許文献２】実用新案登録第３００２８０４号公報（請求項、００１３、００１４、図１、図２）
【考案の開示】
【考案が解決しようとする課題】
【０００３】
従来の特許文献１に示すようなマットは、多数の突起のそれぞれの空気室に笛を取付けなければならず、コストが嵩張る。また、突起を上にしてマットを敷設すると、歩行が困難であり、突起を下にして敷設すると、マットが安定しない問題がある。
明細書の不自由な人や、一般の人でも暗がりや大きな荷物を両手で前方にかかえているときには、階段を降りる時に、下から２〜３段のところで、階段が終わりと勘違いをして足を踏み外して、倒れて骨折等の大怪我をすることがある。また、階段を昇り切った時にまだもう一段あると勘違いしてたたらを踏み、よろめいて怪我をすることもある。
上記の従来の滑り止め用や防音用マットでは、この足の踏み外しやたたらを踏むのを防止することができない。  
また、病人や身体場外者等が、介護人のいないときに、勝手にベッドから降りたり、部屋から出て行くのを知らせることが要望されている。
【０００４】
この考案は、踏むと音を発して知らせるマット、および、そのマットを階段の最上段および／または最下段に敷設した階段を提供することを目的とする。
【課題を解決するための手段】
【０００５】
弾性板のマットに空洞を設け、該空洞と前記弾性板の側壁との間に貫通孔を設け、該貫通孔にリ−ド笛を嵌挿固定してなり、前記弾性板を踏むと音を出すことを可能とする。
前記空洞に発泡樹脂等の通気性のスポンジ体を充填するのが好ましい。
【０００６】
マットの裏面に、端子と、前記マットを踏むと前記端子を接続させる突起を設け、前記端子と警報器を配線で繋いで回路を形成し、前記マットを踏むと前記回路が閉じて前記警報器が鳴ることを可能とする。
【０００７】
弾性板に空洞を設け、該空洞と前記弾性板の側壁との間に貫通孔を設け、該貫通孔にリ−ド笛を嵌挿固定してなり、前記弾性板を踏むと音を出す警報マットを、階段の最下段または／および最上段に敷設する。
【考案の効果】
【０００８】
この発明に係るマットは、踏むと音が鳴るので、階段の最上下段に敷いて置くと、階段の最上下段を踏んだことを知らせ、たたらを踏んだり、踏み外したり等して転倒することを防止する。
このマットを、病人や身体障害者のベッド脇の下に敷設しておけば、看護人が雑用等で傍らを離れているときに、病人等が勝手にベッドから降りて歩きだすのを知らせる。
また、このベッドを、段差のあるところに敷設すれば、段差のあることを知らせる。
更に、このマットを部屋や家の入口に敷設しておけば、身体障害者や幼児等が勝手に出て行くのを知らせ、また、誰かが入って来たことを知らせる。
このマットを最上段および／または最下段に敷設した階段は、階段の最上下段を踏んだことを知らせ、たたらを踏んだり、踏み外したり等して転倒することを防止する。
【考案を実施するための最良の形態】
【０００９】
マット１は、ゴム、プラスチック等の弾性体よりなり、空洞２を設け、周縁または後方を除く３辺を、先端縁方向に傾斜させる。
【００１０】
マット１の後方縁の壁面に空洞２に通ずる貫通孔３を設け、そこにリ−ド笛４を嵌挿し固定する。
【００１１】
マット１の後方縁部も先端縁方向に傾斜している場合には、垂直壁の切り欠き２０を設け、その垂直壁と空洞２に通ずる貫通孔３を設け、その貫通孔３にリ−ド笛４を嵌挿固定するのが好ましい。
【００１２】
貫通孔をマット１の前方または側方のいずれかに設け、その貫通孔３にリ−ド笛４を嵌挿固定してもよい。
【００１３】
このマット１を階段６の最下段および／または最上段やその他の場所に敷いたときに、マット１が滑って動かないように、マット１の下面の複数の箇所に凹部５を設けて、下面が吸着面となるようにするのが好ましい。
凹部５の代わりに、両面接着テ−プ等の係止具を用いてもよい。
【００１４】
このマット１を、図２に示すように、階段６の最下段や、階段６の最上段、その他の場所に敷く。
そのマット１を踏むと、空洞２が圧縮されて中の空気がリ−ド笛４を通って外部に吹き出すので、その際にリ−ド笛４が鳴り、階段６の最下段、最上段や段差のある場所を踏んだことを知らせるので、安心して、かつ、安全に歩行できる。
ベッド脇の下や出入り口にこのマットを敷いたときには、ベッドから降りたことや誰かが出入りしたことを他の人に知らせる。
【００１５】
図６に示すように、マット１の空洞２内に、通気性の発泡樹脂等のスポンジ体２１を充填するのが好ましい。スポンジ体２１は、空洞２の天井部を支えるので、空洞２の天井部がたるんで下がり、空洞容積が縮小して空気の出入りが少なくなって、笛４の奏鳴が弱まるのを防ぐ。
【００１６】
図示省略したが、マット１の笛４の外側にパイプを連結し、、そのパイプを離れた場所、例えば隣の部屋、まで伸ばしておけば、マット１を踏んだことを隣の部屋まで知らせることができる。この場合、笛の空気流通を円滑にするために、パイプの笛４との連結箇所付近に小孔を設けるのが好ましい。また、パイプの先端にラッパ形状体を取付ければ、笛の音を拡大できる。
【００１７】
図３に示すマット７は、踏むと警報器８に接続する手段が働いて、警報器８が鳴る形式のものである。
マット７の裏面に、バネ１０で外方へ付勢された突起９を１または複数設けている。
【００１８】
突起９は弾性体の絶縁材料よりなり、間隔を置いて相対向させた２つの端子１１、１１の半筒体１２、１２の間に嵌挿する。
半筒体１２の一端には内方向のフランジ部１３を有し、２つの端子１１、１１のフランジ部１３、１３が間隔１４をおいて対向する。
半筒体１２の他端には外方向のフランジ部１５を設ける。
【００１９】
突起９の挿入先端側の面の中心に突起１６を立設し、その先端に、フランジ部１３、１３の相対向する間隔１４を跨がる金属板１７または金属棒を固定する。
【００２０】
突起９の挿入先端側の面とフランジ部１３、１３との間にバネ１０を入れて、バネ１０で突起９をフランジ部１５方向に押し、突起の外方先端部（図４のＡにおいては下方先端部）がフランジ部１５、１５より外方に突出し、金属板１７がフランジ部１３、１３より離れる状態に付勢する。
バネ１０は図に示すように複数用いてもよく、または金属板１７よりも大きな径のコイルバネを用い、金属板１７をコイルバネの中に位置させるようにしてもよい。
フランジ部１５に電線１９を接続する。
【００２１】
突起９を挟んだ端子１１を、フランジ部１３側から、マット７の裏面に設けた孔に挿入し、フランジ部１５をマット７の裏面に当接させて固定する。
端子１１の固定方法は限定しないが、端子１１の外面に接着剤を塗付し接着固定するのが好ましい。
なお、端子１１を嵌入する孔の大きさは、半筒体１２が弾性の突起９を押圧して挟持できる大きさとする。
【００２２】
マット７の裏面に、端子１１を嵌入する孔とマット７の側部に連通する溝１８を設け、端子１１に接続した電線１９を溝に入れ、マット７の側部より外方に出し、警報器８に接続する。
溝１８に、棒体を嵌合させて電線１９を押さえるか、または、テープ等を用いて電線１９を押さえるのが好ましい。
【００２３】
マット７の裏面に端子１１を固定し、警報器８に接続したものを、階段６の最下段、最上段、ベッド脇の下、段差のある場所または出入り口に敷き、警報器８をそれらの場所の近くか、または、離れた場所に設置する。
マット７が安定するように、先の実施の形態のマット１の場合と同様に、マット７の裏面に凹部を設けて吸着させるか、両面テ−プ等の係止具を用いて固定させるのが好ましい。
【００２４】
マット７を踏むと突起９が押されて金属板１７が２つのフランジ部１３、１３に当接し、２つのフランジ部１３と１３とが接続し、警報器８との回路が閉じて警報器８が鳴り、マット７を敷いた場所を知らせるので、階段の最上下段や段差のある場所を知り、安心して安全に昇降または歩行を行うことが出来る。また、病人や身体障害者等が勝手にベッドから降りたり部屋から出て行ったりするのを知らせる。
【００２５】
マットを踏むと警報器を作動させる手段は、上記の構成のものに限定されず、この公知の構成のものを用いてもよい。
【図面の簡単な説明】
【００２６】
【図１】マットの断面図である。
【図２】マットの使用説明図である。
【図３】他の実施の形態のマットと警報器の配線説明図である。
【図４】（Ａ）は端子および突起の断面図で、（Ｂ）は端子および突起の平面図であ            る。
【図５】マットおよび警報器の使用説明図である。
【図６】他の実施の形態のマットの断面図である。
【符号の説明】
【００２７】
１  マット
２  空洞
３  貫通孔
４  リ−ド笛
５  凹部
６  階段
７  マット
８  警報器
９  突起
１０  バネ
１１  端子
１２  半筒体
１３  フランジ部
１４  間隔
１５  フランジ部
１６  突起
１７  金属板
１８  溝
１９  電線
２０  切り欠き
２１  スポンジ体
【図１】
0003102048.tif 000003
【図２】
0003102048.tif 000004
【図３】
0003102048.tif 000005
【図４】
0003102048.tif 000006
【図５】
0003102048.tif 000007
【図６】
0003102048.tif 000008